(57)【要約】【課題】２枚の対向するパネル（１２、１４）を備えた、少なくとも肩、胴及び背中を覆う、上半身に着用する衣類。【解決手段】２枚のパネルの形状とサイズは同じであり、そして、少なくとも胴、肩及び背中に衣類を着用させるための下部開口部（２３）となる、接合されない一箇所の下部セグメント（１５）と、頭を通す上部開口部（２１）となる、接合されない上部セグメント（１７）と、腕を通すためのそれぞれ一箇所以上の側部開口部（２５）となる、接合されない一箇所以上の側部の部分（１９）と、を少なくとも除いては、向かい合うすべての周縁部（１３）はそれぞれ重ねられ、前記周縁部に沿って接合される。【選択図】図１
2017534778.tif 000002
【特許請求の範囲】
【請求項１】
少なくとも胴、肩及び背中に衣類を着用させるための下部開口部（２３）となる、接合されない一箇所の下部セグメント（１５）と、
頭を通す上部開口部（２１）となる、接合されない上部セグメント（１７）と、
腕を通すためのそれぞれ一箇所以上の側部開口部（２５）となる、接合されない一箇所以上の側部の部分（１９）と、を少なくとも除いては、
向かい合うすべての周縁部（１３）はそれぞれ重ねられ、
前記周縁部に沿って接合される２枚の対向するパネル（１２、１４）を備えた、上半身に着用する衣類において、
前記上部開口部（２１）となる前記上部セグメント（１７）の箇所だけを選択的に除くと、同じ形状とサイズである前記２枚のパネル（１２，１４）は、それぞれ丸型かＶ字型のいずれかから選択された同一外形又は異なる外形を有する、成形された端部（２７）を備えたことを特徴とする、少なくとも肩、胴及び背中を覆う、上半身に着用する衣類。
【請求項２】
前記２枚のパネル（１２、１４）の少なくとも１つ又は両方が、１つの層の布材料から成ることを特徴とする、請求項１記載の上半身に着用する衣類。
【請求項３】
前記２枚のパネルは、正面パネル（１２）及び背面パネル（１４）であることを特徴とする、請求項１又は２に記載の上半身に着用する衣類。
【請求項４】
前記正面パネル（１２）と前記背面パネル（１４）とは、互いに一致し、それ自身前面／後面が対称であり、さらに互いにも対称となるように、成形されるかカットされることを特徴とする、請求項３記載の上半身に着用する衣類。
【請求項５】
前記正面パネル（１２）及び前記背面パネル（１４）は、それぞれが外側面（１２ａ、１４ａ）及び内側面（１２ｂ、１４ｂ）を備え、
前記外側面（１２ａ、１４ａ）又は前記内側面（１２ｂ、１４ｂ）の少なくとも一方を、前記外側面（１２ａ、１４ａ）及び前記内側面（１２ｂ、１４ｂ）の他方とは異なるよう、自分の好みで変更していることを特徴とする、請求項３又は４に記載の上半身に着用する衣類。
【請求項６】
前記正面パネル（１２）及び前記背面パネル（１４）はそれぞれ、接合されない前記上部セグメント（１７）に、衣類の着用者の首を囲む部分となるよう成形された前記上部セグメント（１７）と同じ形状の端部（２７）を備え、
前記端部（２７）は、首を通すための前記上部開口部（２１）を画定することを特徴とする、請求項３乃至５のいずれか一項記載の上半身に着用する衣類。
【請求項７】
前記正面パネル（１２）及び前記背面パネル（１４）は、人が着用できるチューブ構造（４４）とするために、横は左側縫い目（３６）と右側縫い目（３８）、上部は左肩縫い目（２０）と右肩縫い目（２２）により、前記周縁部（１３）に沿って各々に接合され、
前記左側縫い目（３６）、前記右側縫い目（３８）、前記左肩縫い目（２０）及び前記右肩縫い目（２２）とは、外側の縫い目又は内側の縫い目であることを特徴とする、請求項２乃至請求項６のいずれか一項記載の上半身に着用する衣類。
【請求項８】
前記左側縫い目（３６）又は前記右側縫い目（３８）の少なくとも一方は、内側の縫い目であり、
前記左側縫い目（３６）又は前記右側縫い目（３８）の少なくとも他方は、外側の縫い目であることを特徴とする、請求項７に記載の上半身に着用する衣類。
【請求項９】
前記左肩縫い目（２０）又は前記右肩縫い目（２２）の少なくとも一方は、内側の縫い目であり、
前記左肩縫い目（２０）又は前記右肩縫い目（２２）の少なくとも他方は、外側の縫い目であることを特徴とする、請求項７又は８記載の上半身に着用する衣類。
【請求項１０】
前記左肩縫い目（２０）及び前記右肩縫い目（２２）は、それぞれ前記左側縫い目（３６）及び前記右側縫い目（３８）を備え、内側タイプ又は外側タイプの内、同じタイプの縫い目を備えることを特徴とする、請求項７乃至９のいずれか一項記載の上半身に着用する衣類。
【請求項１１】
前記左肩縫い目（２０）及び前記右肩縫い目（２２）は互いにつながっておらず、
その間の部分が前記上部開口部（２１）を画定する前記上部セグメント（１７）となることを特徴とする、請求項７乃至請求項１０のいずれか一項記載の上半身に着用する衣類。
【請求項１２】
前記正面パネル（１２）及び前記背面パネル（１４）において、接合されない前記下部セグメント（１５）では、
前記正面パネル（１２）及び前記背面パネル（１４）は、着用できるよう接合されないままの、前記衣類の下側端部又は底部（４０、４６）を備えることを特徴とする、請求項１乃至請求項１１のいずれか一項記載の上半身に着用する衣類。
【請求項１３】
前記衣類は袖を備えないか、又は、前記衣類は左袖（２４）と右袖（２６）とを備えることを特徴とする、請求項１乃至請求項１２のいずれか一項記載の上半身に着用する衣類。
【請求項１４】
前記正面パネル（１２）及び前記背面パネル（１４）により確定する前記チューブ構造（４４）に、左の袖ぐり縫い目（３２）及び右袖ぐり縫い目（３４）で、それぞれ前記左袖（２４）及び前記右袖（２６）が接合され、
前記左の袖ぐり縫い目（３２）及び前記右袖ぐり縫い目（３４）は、外側タイプ又は内側タイプであることを特徴とする、請求項７乃至１１及び請求項１３のいずれか一項に記載の上半身に着用する衣類。
【請求項１５】
衣類が２枚のパネル（１２、１４）から成るように、周縁部（１３）を備えた２枚のパネル（１２、１４）のみを準備することと、
少なくとも胴、肩、及び背中に衣類を着用するための下部開口部（２３）となる、接合されない一箇所の下部セグメント（１５）と、頭を通すための上部開口部（２１）となる、接合されない上部セグメント（１７）と、腕を通すためのそれぞれ一箇所以上の側部開口部（２５）となる、接合されない一箇所以上の側部の部分（１９）と、を少なくとも除いては、向かい合うすべての周縁部（１３）に沿って重なり合う前記２枚のパネル（１２、１４）を接合することとを含み、
前記２枚のパネル１２，１４は、前記上部開口部２１となる前記上部セグメント１７の箇所だけを選択的に除くと、同じ形状とサイズであり、それぞれ丸型かＶ字型のいずれかから選択された同一外形又は異なる外形を有する、成形された端部２７を備えたことを特徴とする、少なくとも肩、胴及び背中を覆うように、上半身に着用する衣類（１０）の作製方法。
【請求項１６】
前記正面パネル（１２）及び前記背面パネル（１４）は、それぞれ外側面（１２ａ、１４ａ）及び内側面（１２ｂ、１４ｂ）を備え、
前記外側面（１２ａ、１４ａ）又は前記内側面（１２ｂ、１４ｂ）の少なくとも一方を、前記外側面（１２ａ、１４ａ）及び前記内側面（１２ｂ、１４ｂ）の他方とは異なるよう、個々人に合わせ変更していることを特徴とする、請求項１５に記載の上半身に着用する衣類（１０）の作製方法。
【請求項１７】
前記接合は、縫い付け及び／又はヒートシールによって行うことができることを特徴とする、請求項１５又は１６記載の上半身に着用する衣類（１０）の作製方法。
【請求項１８】
前記２枚のパネル（１２、１４）の少なくとも１枚又は両方が１枚の層の布材料から成ることを特徴とする、請求項１５乃至１７のいずれか一項記載の上半身に着用する衣類（１０）の作製方法。
【発明の詳細な説明】
【技術分野】
【０００１】
本願発明は衣類及び、それを製造する方法に関する。
【背景技術】
【０００２】
着用者の胴及び背中を覆う衣類（「トップス」とも呼ばれる）が利用されていることは公知である。これらの衣類は、通常、解剖学的形状における「首」の周縁に画定される適切な開口部に頭を通して、かぶることで着用される。その衣類は、Ｔシャツ（長袖又は半袖）や、セーター、又はフリースといったものを含む。その衣料品は、個々人に合わせて変更され、及び／又は色をつけたり、文字を書き込んだり、及び様々なグラフィックモチーフ又は装飾的モチーフで印刷され得る。
【先行技術文献】
【特許文献】
【０００３】
【特許文献１】米国特許出願公開第２０１３／０２５４９６８号
【特許文献２】米国特許出願公開第２００７／００９４７６２号
【特許文献３】米国特許出願公開第２０１４／０３１７８２３号
【特許文献４】米国特許出願公開第２００７／０１２４８７０号
【発明の概要】
【発明が解決しようとする課題】
【０００４】
この種の衣類に関して起こりうる一つの問題は、正確に言えば、後ろ前（すなわち、前側と背側とが逆）ではない、「通常の」構成においてのみ着用できるように、設計及び生産されているか、又は、この種の衣類は、裏表とも着用できる「裏と表が入れかわる」衣類として設計されているということである。しかし実際のところ、従来の衣類を後ろ前に着用すると、例えば、首の形状は解剖学的構造として適しておらず、着心地は悪いだろう。
【０００５】
こういった衣類を、設計生産される意図とは異なるように着用する場合は着心地が悪いので、着用の用途は狭められる。
【０００６】
さらにまたこのことは、「通常の」構成の、衣類の正面及び／又は背中面にだけ、個々人に合わせた変更を加えることができることを意味するので、例えばこの種の衣類を自分好みに変更する創造的態様を制限する。
【０００７】
米国特許出願公開第２０１３／０２５４９６８号は公知である。そしてそこには、３つの異なる外観の構成又は態様を定めるために、周縁部の一部に沿って一緒に縫い合わされた３枚の異なるパネルを備える裏表とも着用できる衣類について記載されている。
【０００８】
米国特許出願公開第２００７／００９４７６２号には、裏と表とが入れかわる裏表とも着用できる構造を備えるが、後ろ前に着用するには適さない衣類についての記載があり、首の形状に関する問題点を有する。
【０００９】
米国特許出願公開第２０１４／０３１７８２３号も公知である。そしてそこには、第一のパネルと第二のパネルとをそれぞれ備えた、前部分と後ろ部分とを有する裏表とも着用できるタイプの圧迫衣類について記載されている。周縁部の一部に沿ってのみ縫い合わすことにより接合された２枚の重なり合う層を備えた構造体であり、各層は、互いに対して自由に摺動することができる。前部分の第一のパネルには、後ろ部分の第二のパネルの首部とは異なる形状の首部があり、したがって、衣類を後ろ前で着用すると、首の部分は解剖学的構造に適していないので快適ではない
【００１０】
米国特許出願公開第２００７／０１２４８７０号も公知である。そして、そこには、正面と背中面とがあり、裏表とも着用できるプリント付きの衣類についての記載がある。そして、正面パネル地は、第一面と、第一面の反対側にある第二面（第一面とは異なる視覚要素がある）と、で構成されている。
しかしながら、この衣類は後ろ前で着用するのに、すなわち前後ろを逆にして着用するのには不向きである。なぜなら、首の形状は解剖学的構造に適していないので快適ではない。
【００１１】
従って、技術水準の問題点の少なくとも一つを克服することができる衣類と、対応する製造方法とを完成する必要性がある。
【００１２】
具体的には、本発明の目的の一つは、用途が広い衣類を得ることである。
【００１３】
本発明のもう一つの目的は、個々人に合わせて様々な方法で変更を加えることができる衣類を得ることである。
【００１４】
技術水準の欠点を克服して、これらの目的とその他の目的及び利点を得るために、出願人は、本発明を考案して、テストして、実施した。
【００１５】
本発明は独立クレームにおいて記載され、特徴づけられる。その一方で、従属クレームでは、主たる発明概念に、本発明や変形例のその他の特徴について説明する。
【課題を解決するための手段】
【００１６】
いくつかの実施形態によると、少なくとも肩、胴及び背中を覆う、上半身に着用する衣類を提供する。一つの実施形態によれば、少なくとも胴、肩、及び背中に衣類を着用するための下部開口部となる、接合されない一箇所の下部セグメントと、頭を通すための上部開口部となる、接合されない上部セグメントと、腕を通すためのそれぞれ一箇所以上の側部開口部となる、接合されない一箇所以上の側部の部分と、を少なくとも除いては、向かい合うすべての周縁部はそれぞれ重ねられ、その周縁部沿って接合される対向する２枚のパネルから、衣類は成る。
【００１７】
頭を通す上部開口部２１となる上部セグメント１７の箇所だけを選択的に除くと、同じ形状とサイズである前記２枚のパネル１２，１４は、それぞれ丸型かＶ字型のいずれかから選択された同一外形又は異なる外形を有する、成形された端部２７を備えたものでもよい。
【００１８】
他の実施形態によれば、少なくとも肩、胴及び背中を覆うように、上半身に着用するための衣類の作製方法を提供する。一つの実施形態によれば、その方法は、以下を含む。
−衣類が前記２枚のパネルから成るように、周縁部を備える２枚のパネルのみを準備することと、
−少なくとも胴、肩、及び背中に衣類を着用するための下部開口部となる、接合されない一箇所の下部セグメントと、頭を通すための上部開口部となる、接合されない上部セグメントと、腕を通すためのそれぞれ一箇所以上の側部開口部となる、接合されない一箇所以上の側部の部分と、を少なくとも除いては、向かい合うすべての周縁部に沿って重なり合う２枚のパネルを接合すること、
−前記上部開口部となる前記上部セグメントの箇所だけを選択的に除くと、同じ形状とサイズである前記２枚のパネルは、それぞれ丸型かＶ字型のいずれかから選択された同一外形又は異なる外形を有する、成形された端部を備えたものでもよいこと。
【００１９】
これら及びその他の、本開示内容の態様、特徴及び利点は、以下の発明を実施するための形態、図面及び添付の特許請求の範囲を参照することによってよりよく理解される。
本明細書の一部を構成する図面は、本発明のいくつかの実施形態を示して、発明を実施するための形態と共に、本開示内容の原理を記載することを意図とする。
【００２０】
可能な場合、本明細書に記載されるさまざまな態様及び特徴は個々に適用されることができる。
例えば添付の従属クレームに記載されている態様及び特徴といった、これらの個々の態様は、分割出願の対象となりうる。
【００２１】
既に知られている特許プロセス中において発見されたいかなる態様又は特徴も、請求しておらず、免責事項の対象となると理解される。
【図面の簡単な説明】
【００２２】
本発明のこれらの特徴及び他の特徴は、添付の図面を参照して非限定的な実施例として与えられる、いくつかの実施形態の以下の説明から明らかになるであろう。
【００２３】
【図１】ここで説明する実施形態による衣類の正面図である。
【図２】ここで説明する実施形態による、衣類を着用するときの、考えられるパターンの図である。
【図３】図２の拡大詳細図（Ｉ）である。
【図４】図２の拡大詳細図（ＩＩ）である。
【図５】図２の拡大詳細図（ＩＩＩ）である。
【図６】図２の拡大詳細図（ＩＶ）である。
【図７】ここで説明する実施形態による衣類の裾の補強用別布の縫い目の詳細図である。
【図８】図２の拡大詳細図（Ｖ）である。
【図９】図２の拡大詳細図は（ＶＩ）である。
【図１０】ここで説明する他の実施形態による衣類の正面図である。
【図１１】ここで説明する他の実施形態による衣類の正面図である。
【図１２】ここで説明するさらに他の実施形態による衣類の正面図である。
【図１３】ここで説明する実施形態による衣類の正面図(１３ａ)と、衣類の背面図(１３ｂ)である。
【発明を実施するための形態】
【００２４】
理解しやすくするために、可能であれば、図面中の同一の共通の要素を識別するために、同じ参照番号が使用される。実施形態の一形態の要素及び特性は、さらなる説明がなくても、実施形態の他の形態に好適に組み込むことができることを理解されたい。
【００２５】
本発明の様々な実施形態を詳細に参照し、そのうちの１つ又は複数の実施例が添付の図面に示される。各実施例は、本発明の例証として提供され、限定するものとして理解されるべきでない。例えば、一つの実施例の一部である限りは、示されるか記載される特徴を、他の実施形態を生じるために、他の実施形態に、又は、それに関連して採用することができる。本発明がすべてのこの種の変更及び変形例を含むものと理解される。
【００２６】
これらの実施形態を記載する前に、本明細書が添付の図面を使用して以下に説明する際に、構成要素の構造及び性質の内容に対する適用が制限されないことを、明らかにしなければならない。
本明細書は、他の実施形態を備えることができて、さまざまな他の方法で取得又は実行することができる。
本明細書で使用される表現及び用語は、単に説明のためだけであり、制限するものと見なすことはできないことをも明らかにしなければならない。
【００２７】
ここで説明する実施形態は、少なくとも肩、胴及び背中を覆う、上半身に着用する衣類１０及びそれを製造する方法に関する。
【００２８】
ここで説明する実施形態にて用いられる衣類は、「首」の周縁部で画定される、適切な開口部に頭を通してかぶることで着用され、そして、一旦着用されれば、胴及び背中を覆う衣類となりうることを指摘する。この種の衣類は、長袖又は半袖のＴシャツ、セーター、チュニック、ロングドレス、シャツ、チョッキ、ポンチョ等であってもよい。
本発明のいくつかの実施例によれば、衣類１０は、脚又は、少なくとも脚の一部を覆うこともできる。
ここで説明する実施形態による衣類１０に、色をつけたり、文字を書き込んだり、グラフィックモチーフ、装飾、プリント画像、又はこの種の自分好みの変更を組合せて、個々人に合わせて美的に変更を加えることができる。このように自分好みの美的な変更を加えたり、そのプリントを加えるために用いることができる技術は、例えば、デジタル印刷、ダイレクトデジタル印刷、デジタルプロッタを有する熱印刷、レーザー印刷、インクジェット式印字、シルクスクリーン印刷、エアブラシの利用、織物昇華、手動印刷、ステンシル技術であることができる。
【００２９】
本明細書によると、衣類１０は２枚の対向するパネル１２、１４から成り、その２枚の対向するパネルは、少なくとも胴、肩、及び背中に衣類１０を着用するための下部開口部２３となる、接合されない一箇所の下部セグメント１５と、頭を通すための上部開口部２１となる、接合されない上部セグメント１７と、腕を通すための一箇所以上のそれぞれの側部開口部２５となる、接合されない一箇所以上の側部の部分１９と、を少なくとも除いては、向かい合うすべての周縁部１３はそれぞれ重ねられ、その周縁部１３に沿って接合される。
【００３０】
いくつかの実施形態において、２枚のパネル１２、１４の形状とサイズは、上部開口部を定める上部セグメント１７の箇所のみを選択的に除くと、同じ、すなわち、２枚のパネル１２、１４は対称であるか鏡写しである。そして、前記２枚のパネルは、それぞれ丸型（例えば凹であるか、カーブしているか丸い形）、Ｖ字型のいずれかから選択された同一外形又は異なる外形を有する、成形された端部を備えたものでもよい。つまりは、いくつかの実施形態において、２枚のパネル１２、１４は、対称的に等しく、他の実施形態では、端部２７が２枚のパネル１２、１４で異なるときは、大抵の場合は丸型かＶ型（例えば図１３ａ及び１３ｂを参照）から選択される形状の上部開口部２１を除き、２枚のパネル１２、１４は対称的に等しい。
【００３１】
ここで説明する実施形態にて用いられる用語「接合（ｊｏｉｎ）」及び「接合された（ｊｏｉｎｅｄ）」、そしてその類の用語が、例えば針と糸、又はミシンを使用しての縫い付け技術、又はヒートシール技術を用いた、２つの補完的なパーツの「ｊｏｉｎ（接合）」と理解される点について指摘しなければならない。
今後説明で、一例として、衣類１０の各種パーツを接合するために縫いつけを行う実施形態について言及するが、可能な場合は、ヒートシールによって接合する実施形態にも同じ記載が適用できるものと理解される。
【００３２】
いくつかの実施形態において、当該衣類１０の２枚のパネル１２、１４は、それぞれ一体となっている。すなわち、それぞれは、単体又は１枚の布であって、他の布を接合することによって形成されたものではない。すなわち、ボタン、ジッパー、ひも又は類似の着脱可能な留め具によって接合（縫合）される別の布は備えない。
【００３３】
ここで記載されるすべての実施形態と組み合わせ可能でありえる、いくつかの実施形態において、２枚のパネル１２、１４それぞれは、多層構造の布材料を備えることができる。考えられる実施において、例えば、各パネルを異なる層にすることができ、相互の接触面全体がそれぞれ重ねられ、接着される。これらの実施形態において、例えば日常生活で、あるいはスポーツするため、又は職場で使用される専門的衣類や、又はモデルが着用するための衣類を生産するために、それぞれが異なる層の多層構造である２枚のパネルを、おそらく異なる特性を持たせ作製することができる。
【００３４】
ここで説明するすべての他の実施形態と結合されることができる、他の実施形態において、２枚のパネル１２、１４それぞれが多層構造を備え得る実施形態を除き、２枚のパネル１２、１４のうちの少なくとも１枚、又は両方は、むしろ、１枚の層の布材料から成る（例えば図３から図８を参照）。
【００３５】
説明を容易にするために、以降、正面パネル１２及び背面パネル１４と呼ばれる２枚のパネル１２、１４で構成される、本明細書による衣類１０の実施形態を記載するために図１を用いる。しかしながら、パネル１２、１４は互いに一致しているので、前面／後面、「通常」／裏返し、そして、左／右といったという定義は、本発明の保護範囲を制限しない。
【００３６】
具体的には、以降の説明において、用語「右」及び「左」は、それぞれ図１の右側及び左側を指す。
【００３７】
正面パネル１２及び背面パネル１４は互いに一致している。すなわち、それぞれ自身が前面／後面は対称であり、更に各々互いに対称となるように、正面パネル１２及び背面パネル１４を成形するか、カットする。
【００３８】
考えられる実施では、正面パネル１２及び背面パネル１４はそれぞれ、接合が行われない上部セグメント１７に、衣類１０の着用者の首を囲む部分を定めるよう成形される上部セグメント１７と同じ形状の端部２７を備えることができる。実際には、このように成形される端部２７は、頭を通す上部開口部２１の周囲を画定する。例えば、いくつかの実施形態において、正面パネル１２及び背面パネル１４の成形された端部２７は、首部１６を定めるために、凹形状とするか、又は通常はへこんだ外形であってよい（例えば図１、１０及び１１を参照）。首部１６は、前面／後面、及び、内部的に／外部的に対称、又は、異なる形状であることもできる。具体的には、考えられる実施では、例えば、首部１６は円形、又は、ハイネックやＶネック、他のいずれの形状でもありうる。例えば、丸い首は、通常タイプ（丸首）でありえ、又は、より深いく丸いネックライン（スクープネック）であっても良い。他の実施形態において、正面パネル１２及び背面パネル１４の成形された端部２７を、ハイネック３１とするために、多少強調した突き出た外形に成形することができる。そして、そのまま着用することもでき、丸めたり、ゆるく垂れるようにすることもできる。
【００３９】
図１３ａ及び１３ｂを用いて記載される考えられる実施形態によると、上部開口部２１となる上部セグメント１７を除いて、正面パネル１２と背面パネル１４は対称でありうる。つまりは、２枚のパネル１２，１４は、上部開口部２１となる上部セグメント１７で、一部だけ非対称となりうるということであり、
（前記２枚のパネルは、それぞれ丸型かＶ字型のいずれかから選択された同一外形又は異なる外形を有する、成形された端部２７を備えたものでもよい。）
例えば、正面パネル１２の端部２７は、丸首１６となるよう凹成形され、一方で、背面パネル１４の端部２７はＶ型であるのでＶネック１６となる。これらの実施形態において、丸首の定義については、ラウンド・ネックか、スクープド・ネックを意味する。例えば、図１３ａ及び１３ｂに関して記載される実施形態は、２枚のパネル１２、１４それぞれが１枚の層の布材料から成る実施形態と組み合わせることができる。
【００４０】
上述のように、正面パネル１２の形状は背面パネル１４の形状と同じである。しかしながら、正面パネル１２に、異なる生地を使用したり、カラープリントや、グラフィックモチーフ、文字を書き込んだり、イラストや装飾を加えたりプリントして自分好みの変更を加えたり、又はこういった自分好みの変更を組合せて、背面パネル１４とは異なるようにすることができる。
【００４１】
本明細書によると、人が着用できるチューブ構造４４とするために、具体的には、正面パネル１２と背面パネル１４は周縁部１３に沿って、特に、横は左側縫い目３６と右側縫い目３８で、そして、上部は左肩縫い目２０と右肩縫い目２２で、接合される。
【００４２】
左肩縫い目２０と右肩縫い目２２との間の部分では、正面パネル１２と背面パネル１４は一緒に、接合されていないか、又は縫い合わせが行われていないので、左肩縫い目２０と右肩縫い目２２とは互いに結合していない。そして、その間の部分が上部開口部２１を画定する上部セグメント１７となる。従って、左肩縫い目２０と右肩縫い目２２の間に、成形された端部２７を作り出すことができる。そして、左肩縫い目２０と右肩縫い目２２は、両側を首部１６（図１、１０及び１１）、又はハイネック３１（図１２）で画定することができる。
【００４３】
同様に、正面パネル１２と背面パネル１４の、正面パネル１２と背面パネル１４が一緒に、接合されていないか、又は縫い合わせが行われていない下部セグメント１５には、人が衣類を身に着けることができるよう、縫い目や他の種類の接合がない状態の下側端部又は底部４０、４６がある。
【００４４】
いくつかの実施形態によると、周縁部１３に沿って横方向に、正面パネル１２を背面パネル１４に接合する左側縫い目３６又は右側縫い目３８の少なくとも一箇所は内側の縫い目であり、そして、少なくとももう一方は外側の縫い目である。
【００４５】
ここで説明する実施形態にて用いる表現「内側の縫い目」又は一般に「内側の接合」は、縫い合わせられる端部が外側に突出しない接合や、縫い目、又はヒートシールであり得、端部を内側に折り込むので端部は外側からは見えない。しかし、ここで説明する実施形態にて用いる表現「外側の縫い目」又は一般に「外側の接合」は、縫い合わせられる端部が外側に突出する接合や、縫い目、又はヒートシールであり得、外側に延びるので端部は外側から見えると、ここで指摘しなければならない。
【００４６】
ここで説明するすべての実施形態と組み合わせることができる、いくつかの実施形態において、外側の縫い目（すなわち縫い合わせられる端部が外側から見えるもの）にはかがり縫いをほどこすことができ、かがり縫いにより端部がすり減るのを防止する。
【００４７】
ここで説明するすべての実施形態と組み合わせることができる、いくつかの実施形態において、左肩縫い目２０又は右肩縫い目２２の少なくとも１本は内側の縫い目である、そして、少なくとも、もう一方は外側の縫い目である。
【００４８】
具体的には、左肩縫い目２０と右肩縫い目２２は、それぞれ左側縫い目３６と右側縫い目３８にあるのと同じタイプの縫い目（内側又は外側）を有する。その結果、「通常の」状態にあるとき、そして、それが裏返しの状態であるときも、そして、更に、正面と背中面とを回したときも、衣類１０の２つの側（左又は右）のうちの一つはすべて外側タイプの縫い目を有し、そして、反対側（右又は左）はそれぞれすべて内側タイプの縫い目を有する。
【００４９】
このようにして、衣類１０は、前面／後面と、内側／外側との対称性だけでなく、縫い目に対して、前面／後面と、内側／外側との鏡面性も備える。例えば「通常の」状態、又は、裏返しの状態で、他の実施形態では、衣類の縫い目（具体的には左肩縫い目２０と右肩縫い目２２と、それぞれの左側縫い目３６及び右側縫い目３８の全て）は内側タイプであるか、すべてが外側タイプであることができるものと理解される。従って、縫い目又は他の接合（例えばヒートシール）の形態が衣類１０の左／右対称だけでなく、上部とその下部間の対称性も備えることができる。
【００５０】
他の実施形態によれば、左肩縫い目２０と右肩縫い目２２、左袖ぐり縫い目３２と右袖ぐり縫い目３４、そしてそれぞれの左側縫い目３６と右側縫い目３８とは、交互に一部は外側の縫い目を、そしてまた、もう一部は内側の縫い目を備えることができる。
【００５１】
さらに他の実施形態によれば、左肩縫い目２０と右肩縫い目２２、左袖ぐり縫い目３２と右袖ぐり縫い目３４は、内側の縫い目でありうる。しかし、それぞれの左側縫い目３６と右側縫い目３８は外側の縫い目でもありうるし、逆もまた同じである。
【００５２】
正面パネル１２が外側面１２ａ及び内側面１２ｂを備え、そして、背面パネル１４が外側面１４ａ及び内側面１４ｂを備える実施形態を記載するために、図２を用いる。また、具体的には、ここに記載されるいくつかの実施形態による衣類１０着用時の、考えられるパターンを記載するために図２を用いる。図２における衣類１０の中央軸線Ｘを中心とし１８０度衣類１０を回転させるか（矢印Ｒ）、裏返しにしても（矢印Ｉ／Ｅ）、変わらず衣類１０を利用することができ、そして、常に同じ適合した形態を備えるので、着用時に同じ耐久性と快適さを保つ。この特定のケースでは、例えば、「通常」もしくは裏返し状態、あるいは後ろ前で、衣類１０は、すべて内側の縫い目を有する側と、すべて外側の縫い目を有する側とを備えることができる。
【００５３】
このようにして、４種類の異なる方法で衣類１０を着用することができる。
第１のパターンでは、衣類１０の正面として正面パネル１２の外側の面１２ａを使用する
第２のパターンでは、正面として背面パネル１４の外側の面１４ａを使用する（中央軸線Ｘを中心として、衣類１０を１８０度（矢印Ｒ）回転させることによって、このパターンとなる）
内側／外側から衣類１０を回転させることによって第３のパターンとなる（結果、衣類１０の正面として背面パネル１４の内側面１４ｂを使用することができる）
第４のパターンは第３のパターンから始まり、中央軸線Ｘを中心として衣類１０を１８０度（矢印Ｒ）回転させる（結果、衣類１０の正面として正面パネル１２の内側面１２ｂを使用することができる）
【００５４】
正面パネル１２（外側面１２ａ及び内側面１２ｂ）と、背面パネル１４（外側面１４ａ及び内側面１４ｂ）とに、プリント／色／装飾を加えたり、及び／又は異なる種類の生地を用いて、衣類１０を様々な方法で個々人に合わせて変更することができる。具体的には、正面パネル１２と背面パネル１４のサイズ／形状における対称性と独自性の特徴のおかげで、その時その時の、そして、すべての使用状態（前面／後面及び「通常」／裏返し）で、少なくとも一面の個々人に合わせて変更された外側面１２ａ（例えば外側面１４ａとは異なったプリント及び／又は色と、個々人に合わせて変更された内側面１２ｂ（例えば少なくとも一面の内側面１４ｂ及び外側面１２ａ、１４ａの少なくとも一面とは異なったプリント及び／又は色）と、を衣類１０は備えることができる。
【００５５】
従って、本明細書によると、表面１２ａ、１２ｂ、１４ａ、１４ｂは、各々他と異なるよう、プリントを加えたり及び／又は色を付けたり、及び／又は異なる種類の生地で作製することができるので、衣類１０は、自分好みの変更という観点で、あらゆる着用の可能性がある方向／状態（前面／後面の及び「通常」／裏返し）で異なるように見せることができる。
【００５６】
例えば図１０を用いて説明され、そして、ここで記載されるすべての実施形態と組み合わせ可能でありえる、いくつかの実施形態によれば、衣類１０は袖を備えていなくてもよい。
この場合、衣類１０は肩近くに側部開口部２５を備えることができるので、腕を通すことができる。そして、例えば肌着又はチョッキのようでありえるか、又は、低い側部開口部２５を備えるか、あるいは側部開口部２５を備えない、ポンチョのようであってもよい。
【００５７】
例えば、図１、１１及び１２を用いて説明され、そして、ここで記載されるすべての実施形態と組み合わせ可能でありえる、他の実施形態によれば、衣類１０は、左袖２４及び右袖２６を備えることができる。左袖２４及び右袖２６を、短い袖（図１を参照）又は、例えば手首までであるか、肩と手首間の平均長の、長い袖とすることができる（例えば図１１及び１２を参照）。
【００５８】
正面パネル１２と背面パネル１４との接合によって形成されるチューブ構造４４に、左袖ぐり縫い目３２及び右袖ぐり縫い目３４で、左袖２４及び右袖２６を接合させることができる。例示的な実施形態によれば、左袖ぐり縫い目３２又は右袖ぐり縫い目３４の少なくとも一つは内側の縫い目であり、そして、上記記載のように、少なくとももう一方は外側の縫い目である。
【００５９】
例えば、例として図２を用いて説明される実施形態を参照すると、左袖ぐり縫い目３２及び右袖ぐり縫い目３４は、左側縫い目３６及び右側縫い目３８それぞれと同じ内側又は外側タイプの縫い目を備えることができる。結果、考えられる実施では、両側（左又は右）の片側は、すべて外側タイプの縫い目を備え、そして、反対側はすべて内側タイプの縫い目を備える。
【００６０】
右袖２６を正面パネル１２と背面パネル１４に、接合する右袖ぐり縫い目３４を詳しく説明するために図３を用いる。この実施例の場合、右袖ぐり縫い目３４は外側タイプでありえ、そして、端部は外側から見える。
【００６１】
右肩縫い目２２と、正面パネル１２及び背面パネル１４とに、右袖２６を接合する右袖ぐり縫い目３４を詳しく説明するために図４を用いる。例えば、右袖ぐり縫い目３４は、外側タイプであってもよい。
【００６２】
本発明の保護範囲を制限しない、考えられる実施形態では、上部セグメント１７と、したがって、例えば首部１６又はハイネック３１となるよう成形された端部２７と、左袖２４と、右袖２６と、下部セグメント１５と、対応する底部４０、４６とは、加工された裾を備えることができる。以降、表現「裾」又は「加工された裾」は、衣類とリネン品において、一つ以上の端の縁部に沿って行われる、補強又は装飾のために布材料を少し折り返して適切なステッチ（例えば見えないステッチ）で固定する作業箇所や、衣類の端部に沿って加えられたり他の目的のための仕上げ生地を意味する。
【００６３】
いくつかの実施形態において、衣類１０に袖があるとき（図１、１１及び１２）、また、袖がないとき（図１０）どちらの場合も、縁２８、３０の縁を縫うことによって、側部開口部２５の縁を縫うことができる。
【００６４】
例えばいくつかの実施形態において、左袖２４と右袖２６とは、それぞれ左袖２４の縁２８と右袖２６の縁３０とが形成する裾を備えることができ、例えば、両方ともが左袖２４と右袖２６とに用いるのと同じタイプの生地で作製される。
【００６５】
左袖２４及び右袖２６の裾は、例えば、袖の切り口の端で縁２８と縁３０を折り畳んで重ねることによって得ることができる。その結果、一端は外側、そしてもう一端は袖の内部にある状態となり、接合することによってそのパーツをつなげる。
【００６６】
首部裾の縁箇所１８は、少なくとも２枚の別布（フラップ：ｆｌａｐ）１８ａと１８ｂ（正面パネル１２と背面パネル１４から最初は分離している）から成ることができ、その首部裾の縁箇所１８で、成形された端部２７（首部１６又はハイネック３１を定めることができる）のふちが縫われる。一つの実施形態において、２枚の別布１８ａ及び１８ｂの生地は、正面パネル１２及び背面パネル１４用に選択されるのと同じものでもいいし、又は、異なっていても良い。
【００６７】
具体的にはこの特定のケースでは、成形された端部２７の、首部裾の縁箇所１８の別布１８ａ及び１８ｂを、対応する生地のパネル１２、１４に各々縫い合わせることができ、そして、別布１８ａ、１８ｂの切り口は内側外側両方から見ることができ、このように当該衣類１０は対称となる。
【００６８】
考えられる実施では、底部４０と４６のふちも縫われ、そして少なくとも２枚の別布４２ａと４２ｂ（正面パネル１２及び背面パネル１４から最初は分離している）からなる底部裾の縁箇所４２を同様に備えることもできる。一つの実施形態において、別布４２ａ及び４２ｂの生地は、それぞれ、正面パネル１２及び背面パネル１４用に選択されるのと同じでもいいし、又は、異なっていても良い。
【００６９】
成形された端部２７の首部裾の縁箇所１８（図５及び６）及び、本明細書による実施形態（図７）における底部４０、４６の底部裾の縁箇所４２を作るための縫い目を詳しく説明するために図５〜７を用いる。
【００７０】
具体的には、図５を参照すると、左側上の首部裾の縁箇所１８の別布１８ａと１８ｂ間の縫い目は外側タイプであることが分かるが、図６を参照すると、右側上の首部裾の縁箇所１８の別布１８ａと１８ｂ間の縫い目は内側タイプであることが分かる。
【００７１】
これに対して図７を参照すると、別布４２ａと４２ｂを、パネル１２と１４の対応する生地に各々縫い合わせることができると分かる、そして、別布４２ａと４２ｂの切り口は内側外側両方から見え、そして、衣類１０は対称となる。
【００７２】
左側上の底部裾の縁箇所４２の別布４２ａと４２ｂ間の縫い目が内側タイプでありうる、すべてのここで説明する実施形態と結合され得る実施形態を記載するために図８を用いるのに対して、図９を用いて記載される実施形態では、右側上の底部裾の縁箇所４２の別布４２ａと４２ｂ間の縫い目は外側タイプとなりうる。
【００７３】
衣類１０を裏返し、又はその逆にする場合、衣類１０の対称性を高めるために、底部裾の縁箇所４２の１本の縫い目は常に内側のままであるが、反対側の縫い目は常に外側のままである。
【００７４】
ここで説明する実施形態も、衣類１０を作製するための方法に関連する。異なる生地からなる２枚のパネル１２、１４で形成され、及び／又は様々な方法で個々人に合わせて変更される衣類１０に関して、これより、非限定的な実施例として、本発明による方法について説明する。２枚のパネル１２と１４が同一生地であるか、及び／又は様々な方法で個々人に合わせて変更される衣類１０に関しても説明する。
【００７５】
一つの実施形態によれば、衣類１０を作製するための方法は、以下を提供する。
−衣類が前記２枚のパネルから成るように、周縁部１３を備える２枚のパネル１２、１４のみを準備することと、
−少なくとも胴、肩、及び背中に衣類を着用するための下部開口部２３となる、接合されない一箇所の下部セグメント１５と、頭を通すための上部開口部２１となる、縫い合わせが行われない上部セグメント１７と、腕を通すためのそれぞれ一箇所以上の側部開口部２５となる、
接合されない一箇所以上の側部にある部分１９と、を少なくとも除いて、向かい合うすべての周縁部１３に沿って重なり合う２枚のパネル１２と１４を接合させることと、
−上部開口部２１となる上部セグメント１７の箇所だけを選択的に除くと、同じ形状とサイズである前記２枚のパネル１２，１４は、それぞれ丸型かＶ字型のいずれかから選択された同一外形又は異なる外形を有する、成形された端部２７を備えたものでもよい。
【００７６】
いくつかの実施形態によれば、接合は、縫い合わせるか又はヒートシールすることによって、行うことができる。
【００７７】
方法についての考えられる実施形態によれば、正面パネル１２及び背面パネル１４の、外側面１２ａ、１４ａと内側面１２ｂ、１４ｂの少なくとも一面は、外側面１２ａ、１４ａと内側面１２ｂ、１４ｂのもう一面とは異なるよう個々人に合わせて変更することができる。自分好みの変更は、例えば、異なる色／イラストであるか、又は、正面パネル１２と背面パネル１４を作製するために種類が異なる生地を用いるという点であると、理解される。
【００７８】
考えられる実施形態によれば、実施可能な事前の作業は、衣類１０を形成するパーツ（具体的には、正面パネル１２、背面パネル１４、左袖２４と右袖２６、及び裾のための縁１８、２８、３０、４２）をカットすることである。
【００７９】
例えば、考えられる実施形態において、正面パネル１２と、左袖２４と、左袖縁２８と、別布１８ｂ（首部裾の縁箇所１８の半分を形成）と、別布４２ａ（底部裾の縁箇所４２の半分を形成）とは、巻かれた生地Ａからカットされる。
【００８０】
生地Ａの場合と異なるこのケースでは、背面パネル１４と、右袖２６と、右袖縁３０と、別布１８ｂ（首部裾の縁箇所１８のもう半分を形成）と、別布４２ｂ（底部裾の縁箇所４２のもう半分を形成）とは、第２の巻かれた生地Ｂからカットされる。
【００８１】
生地Ａ及び生地Ｂは、元となる素材が異なるという点で異なると考えられるか、又は、同じ素材から作ることもできるが、プリントやイラストを加えたり、色を付けたり、グラフィックモチーフ／文字を書き込んだり、及び／又は装飾を加えたりプリントすることにより、個々人に合わせて変更される。
【００８２】
その後、生地Ａの左袖２４のふちを縫う。そして、内側外側の両側から端部が見えたままとなるように、左袖２４の下端に対応する左袖２８の縁を折って縫い合わせる。
【００８３】
同様に、生地Ａの正面パネル１２は、同じ生地Ａの別布４２ａ（底部裾の縁箇所４２の半分を形成）と共に、ふち縫いを施される。
【００８４】
その後、生地Ｂの右袖２６のふちを縫う。そして、内側外側の両側から、端部が見えたままとなるように、右袖２６の下端に対応する右袖３０の縁を折って縫い合わせる。
【００８５】
さらにまた、生地Ｂの背面パネル１４は、同じ生地Ｂの別布４２ｂ（底部裾の縁箇所４２の半分を形成）と共にふち縫いを施される。
【００８６】
その後、正面パネル１２の内側面１２ｂは、背面パネル１４の内側面１４ｂと接触させる。すなわち、隣接して重なり合うよう置かれる。
そして、右肩縫い目２２はこのようになるよう、例えば外側タイプとなるよう作られる。
【００８７】
その結果、正面パネル１２の表面１２ａは背面パネル１４の表面１４ａと接触するように合わせられた衣類は裏返しになっており、そして、左肩縫い目２０が作られる。
この場合も、作られる縫い目は外側タイプでありえる。しかし、衣服が再び裏返しにされると、縫い目は内側タイプに見える。
【００８８】
その後、図３に記載されるように、右袖ぐり縫い目３４を縫い合わせることによって、生地Ｂの右袖を正面パネル１２及び背面パネル１４に（縫い）合わせる。
【００８９】
その後、合わせられた衣類は再び裏返しにされ、そして、左の袖ぐり縫い目３２を縫い合わせることによって、生地Ａの左袖２４は正面パネル１２及び背面パネル１４に（縫い）合わせられる。
【００９０】
その後、首部裾の縁箇所１８は、長手方向の端部（内側一箇所及び外側一箇所）の２本の縫い目と、別布１８ａ及び１８ｂを縫い合わせることによって（縫い）合わせられる。
【００９１】
その後、生地Ａ及びＢをそれぞれ一致させるように、成形された端部２７のへりでそれを折り畳み、縫い合わせることによって、首部裾の縁箇所１８は（縫い）合わせられる。
【００９２】
いくつかの実施形態によれば、最後の作業として、左側縫い目３６及び右側縫い目３８が、順番に作られる。
例えば、最初に左側縫い目３６が作られ、合わせされた衣類は裏返しにされ、そして、右側縫い目３８が作られる、又は、逆もまた同じように作られる。
【００９３】
考えられる実施形態において、縫い目はかがり縫いとすることができるが、平縫い、ジグザグ又は他のいかなる縫い方であってもよい。
【００９４】
従って、適切に衣類１０の前後ろを反対にしたり、裏返しにして着用することによって、ここで説明する実施形態による方法によって得られる衣類１０は、４つの面１２ａ、１２ｂ、１４ａ、１４ｂ（全て正面として等しく着用できる）を備える。そして、着心地は変わらないままで、例えば少なくとも２枚の異なる生地及び／又は少なくとも２種類の異なる自分好みの変更を備える。上記により、有利なことに、衣類１０を個々人に合わせて変更できるようになる。そして、例えば印刷又は他の技術を使用して、全ての面１２ａ、１２ｂ、１４ａ（１４ｂ）で、異なるイラスト／グラフィックパターン／文字の書込／色をつけたりする。このようにして、常に同じ快適さ及び耐久性を保ちつつ、考えられる着用可能な４種類のそれぞれの異なるパターンでは美的にも異なるので、衣類１０は極めて用途が広い。
【００９５】
ここで説明するすべての実施形態と組み合わせることができる、いくつかの実施形態において、正面パネル１２及び衣類１０の背面パネル１４は、柔軟性のある生地で作られてもよい。正面パネル１２の柔軟性のある生地は、背面パネル１４の柔軟性のある生地と同じであってもいいし、又は異なってもよい。
【００９６】
具体的には、使用する可能性のある柔軟性のある生地は、本明細書に従う、織物繊維（特にカーディング繊維）を主たる材料とする生地、更には、織物繊維を主たる材料とはしないが被服産業において使用されうる柔軟性のある生地（例えば革又は金属）を含む布材料であってもよい。
【００９７】
織物繊維には、天然繊維（具体的には植物性繊維、動物性繊維、又は鉱物繊維）、又は合成繊維又は人工繊維や、それらの組み合わせなどがある。繊維を主たる素材とする生地は、織物の形（すなわち、繊維の織りから得られる）であり、例えば経編構造である。従って、織物は、天然起源の繊維（例えば野菜、動物又は鉱物繊維）、又は技術繊維（例えば人工繊維、合成繊維又は無機繊維）から形成することができる。
生地は、不織布（ＴＮＴ）であってもよく、例えば、整然と、又はランダムに配置され、重ね合わされた繊維である。
【００９８】
考えられる実施によれば、いくつかの実施形態で使用可能な植物繊維は、綿、リネン、麻、ジュート、ラミー（又はイラクサ糸）、サイザル麻、ココナッツ、エニシダ、ハイビスカス、マニラ麻、わら、竹から成るグループから選択される繊維であることができる。
【００９９】
考えられる実施によれば、いくつかの実施形態で使用可能な動物繊維は、ウール、皮、絹、馬毛、足糸（シーシルク）から成るグループから選択されることができる。
【０１００】
考えられる実施によれば、いくつかの実施形態で使用可能な鉱物繊維は、アスベスト、金属ワイヤ、グラスウールから成るグループから選択されることができる。
【０１０１】
考えられる実施によれば、いくつかの実施形態で使用可能な合成繊維は、アクリル、モダアクリル繊維（耐炎性のために改良されたアクリル）、ポリアミド（ナイロン）、ポリエステル、ポリプロピレン、ポリエチレン、クロロビニル、ポリウレタン（エラスタン）、テフロン（登録商標）（Ｇｏｒｅ−Ｔｅｘ（登録商標））、アラミド（Ｋｅｖｌａｒ（登録商標））から成るグループから選択されることができる。
【０１０２】
考えられる実施によれば、いくつかの実施形態で使用可能な無機繊維は、織物ガラス、炭素繊維、玄武岩、金属ファイバ（銅、銀、金、鋼）、金属化繊維から成るグループから選択されることができる。
【０１０３】
考えられる実施によれば、いくつかの実施形態で使用可能な人工繊維は、レーヨン、モダール、キュプラ、アセテート、トリアセテート、リヨセル、ゴム又は天然ゴム、ビスコース又は人工絹から成るグループから選択されることができる。
【０１０４】
他の柔軟性のある生地としては、合皮のような天然皮又は合成革などの織物繊維から形成されていない材料であってもよく、金属、例えば、薄い柔軟性のあるホイル状であってもよく、又は柔軟性を有するものでもよく、成形、折り畳み、変形、及び着用が可能であってもよい、衣類又は繊維産業において使用可能な他のいかなる種類の生地も含む。
【０１０５】
すべてのここで説明する他の実施形態と結合されることができる、いくつかの実施形態において、左袖２４及び右袖２６が存在する場合は、２種類の異なる素材で作製することができる。
例えば、それらは、正面パネル１２及び背面パネル１４に用いるのと同じ素材で作ることができる。
【０１０６】
ここまで述べた衣類１０に対して、本発明の分野及び範囲から逸脱することなく各部の修正及び／又は追加を行うことができることは明らかである。
【０１０７】
いくつかの具体例を参照して本発明を説明したが、当業者が本発明による衣類の多くの他の同等の形状を達成することが確実に可能であることは明白でもある。そして、請求項にて説明するような特徴を有し、それ故、すべてこのことにより定められる保護範囲内となる。
【０１０８】
上記は本発明の実施形態に関連するが、他の実施形態を主な保護範囲を逸脱することなく設けることができ、以下の請求項によって定義される。
【０１０９】
以下の請求項において、括弧書きの参照記号の目的は、可読性を高めるためだけであり、特定の請求項の保護範囲に関する制限因子と捉えるべきではない。
【図１】
2017534778.tif 000003
【図２】
2017534778.tif 000004
【図３】
2017534778.tif 000005
【図４】
2017534778.tif 000006
【図５】
2017534778.tif 000007
【図６】
2017534778.tif 000008
【図７】
2017534778.tif 000009
【図８】
2017534778.tif 000010
【図９】
2017534778.tif 000011
【図１０】
2017534778.tif 000012
【図１１】
2017534778.tif 000013
【図１２】
2017534778.tif 000014
【図１３】
2017534778.tif 000015
【国際調査報告】
2017534778.tif 000016
2017534778.tif 000017